(57)【特許請求の範囲】
【請求項１】
竹本体の一方の側を細かく割った複数の竹細片を１本の紐で結び留めている茶せんにおいて、前記１本の紐には、白の色と少なくとも１つの有彩色との各色を所定の間隔で順次に施したものが用いられ、前記所定の間隔は、前記１本の紐を複数の巻数で巻くときに、色形態が、前記竹細片の長さ方向に同じ色が揃って配置される形態となるか、または、市松模様の形態となるように、設定されていることを特徴とする茶せん。
【発明の詳細な説明】
【技術分野】
【０００１】
本発明は、お茶（例えば、抹茶）を点てるための道具、あるいはコーヒーを泡立てるための道具などとしての茶せんに関する。
【背景技術】
【０００２】
茶せんは、お茶（例えば抹茶）を点てて飲むための特殊な道具であり、茶道の諸流派の中で様々の種類のものがあるが、基本的には、１本の竹本体の一方の側を細かく割った複数の竹細片を紐または糸（以下、本発明においては、糸も含めて紐と称す）で結び留めており、この紐には、黒色のもの、すなわち黒紐が用いられているのが一般的である。なお、黒紐以外に、慶事の時に使うのに、赤色のもの、すなわち赤紐が用いられる場合もある。
【発明の開示】
【発明が解決しようとする課題】
【０００３】
しかしながら、上述したように、従来の茶せんでは、黒または赤の一色の紐しか用いられていなかったので、紐の色に基づいて例えば茶せんを濃茶用，薄茶用，野点用等の用途ごとに区別したりすることが容易にできなかった。
【０００４】
本発明は、紐の色に基づいて茶せんを用途ごとに容易に区別したりすることの可能な茶せんを提供することを目的としている。
【課題を解決するための手段】
【０００５】
上記目的を達成するために、請求項１記載の発明は、竹本体の一方の側を細かく割った複数の竹細片を１本の紐で結び留めている茶せんにおいて、前記１本の紐には、白の色と少なくとも１つの有彩色との各色を所定の間隔で順次に施したものが用いられ、前記所定の間隔は、前記１本の紐を複数の巻数で巻くときに、色形態が、前記竹細片の長さ方向に同じ色が揃って配置される形態となるか、または、市松模様の形態となるように、設定されていることを特徴としている。
【発明の効果】
【０００６】
請求項１記載の発明によれば、竹本体の一方の側を細かく割った複数の竹細片を１本の紐で結び留めている茶せんにおいて、前記１本の紐には、白の色と少なくとも１つの有彩色との各色を所定の間隔で順次に施したものが用いられ、前記所定の間隔は、前記１本の紐を複数の巻数で巻くときに、色形態が、前記竹細片の長さ方向に同じ色が揃って配置される形態となるか、または、市松模様の形態となるように、設定されているので、例えば、少なくとも１つの有彩色の種類数を相違させることで、濃茶用，薄茶用，野点用等の用途ごとに茶せんを区別したり、白の色と少なくとも１つの有彩色との各色の組合わせを相違させることで、例えばそれぞれ異なる国を表現し国際色を出したりすることができる。
【発明を実施するための最良の形態】
【０００７】
以下、本発明を実施するための最良の形態を図面に基づいて説明する。図１は本発明に係る茶せんの概略的な構成例を示す図である。図１を参照すると、この茶せんは、１本の竹本体１の一方の側を細かく割った複数の竹細片２を紐または糸（以下、本発明では糸も含めて紐と称す）３で結び留めたものとなっている。
【０００８】
ここで、図１の例では、紐３は、５巻きされているが（巻数が“５”となっているが）、この巻数は必要に応じ任意の数にすることができる。例えば、１巻きでも良いし、３巻きでも良いし、７巻きなどでも良い。また、紐３を例えば５巻きする場合、１本の長い紐を５回巻いて、５巻きにすることもできるし、あるいは、５本の紐をそれぞれ１巻きずつ巻いて５巻きにすることもできる。
【０００９】
ところで、本発明では、紐３には、複数の色が用いられている。より詳細に、図１の例のように、紐３を例えば５巻きする場合において、１本の長い紐を５回巻いて、５巻きするときには、図２に示すように、１本の長い紐に複数の色（図２の例では、紫白赤黄緑の５色）を順次に施したものを用いることができる。また、５本の紐をそれぞれ１巻きずつ巻いて５巻きにするときには、図３に示すように、５本の紐のそれぞれに異なった色（例えば、紫白赤黄緑の５色）を施したものを用いることができる。いずれの場合にも、５巻きにしたときに、例えば図４に概略的に示すような紐３の色形態を実現することができる。あるいは、１本の長い紐に複数の色（図２の例では、紫白赤黄緑の５色）を順次に施したものを用いるときには、例えば図５に概略的に示すような紐３の色形態を実現することができる。なお、図４，図５は部分拡大図である。
【００１０】
上述の例では、紐３を５巻きにし、複数の色として５色を用いるとしたが、紐３の巻数を５以外の任意のものにし、また、複数の色として５色以外の任意の数の色を用いることもできる。
【００１１】
具体的に、複数の色として、紫白赤黄緑などの５色の他に、例えば、赤橙黄緑青藍紫などの７色や、三色旗，三原色，赤黄青，紫白赤などの３色を用いることができる。
【００１２】
この場合も、前述したと同様に（図２あるいは図３に示したと同様に）、１本の長い紐に７色の色あるいは３色の色を順次に施したものを用いることもできるし、あるいは、７本あるいは３本の紐のそれぞれに７色の色あるいは３色の色を施したものを用いることができる。
【００１３】
ここで、７本あるいは３本の紐のそれぞれに７色の色あるいは３色の色を施したものを用いる場合には、紐３に７色あるいは３色の色をもたせるために、紐の本数を７本以上あるいは３本以上にする必要がある。これに対し、１本の長い紐に７色の色あるいは３色の色を順次に施したものを用いる場合には、１本の長い紐への７色の色あるいは３色の色の施し方（間隔）に応じて、図４に示したと同様の紐３の色形態を実現することもできるし、図５に示したと同様の紐３の色形態を実現することもできるし、あるいは、これらの中間の色形態（例えば、市松模様の形態）を実現することもできる。換言すれば、１本の長い紐への色の施し方（間隔）に応じて、１巻きでも２巻きでも３巻きでも７巻きでも良く、任意の巻数にすることができる。
【００１４】
このような構成の本発明の茶せんでは、竹本体１の一方の側を細かく割った複数の竹細片２を結び留めている紐３には、複数の色が用いられているので、例えば、紐３の色の種類数を相違させることで、濃茶用，薄茶用，野点用等の用途ごとに茶せんを区別したり、紐３の複数の色の組合わせを相違させることで、例えばそれぞれ異なる国を表現し国際色を出したりすることができる。
【００１５】
すなわち、茶せんには、大別して、濃茶用、薄茶用、野点用等があるが、そのサイズ等は一見して区別の付き難いものであることは、一部の専門家を除いて、僅かでも茶道を経験した人なら誰しも分かっていることである。したがって、濃茶用は紐３を７色（虹色・赤橙黄緑青藍紫などの組合わせ）、濃茶用は紐３を５色（五行色・紫白赤黄緑などの組合わせ）、野点用は紐３を３色（三色旗・三原色・赤黄青・紫白赤などの組合わせ）とすることによって、迷わずに用途上の区別が容易に分かるようになり、それと同時に、正式の茶事に用いる濃茶用はそれなりの風格を持つように印象付けられるし（審美性の獲得）、野点用（アウトドア）は少し軽めな気分をその外形から印象付けることが可能になる。これは、黒なり赤なりの一色では得られない現実的にも有用な使い方や効果となる。
【００１６】
更に、アメリカを意識した茶席なら赤青白の組合わせの工夫でその国を表現することもできるし、フランス，イタリアなら文字通りの三色旗を表現することが可能となり、茶道の国際化に役立つという有用性を獲得することができる。より詳細に、日本であれば、紐３を白赤白の組合わせとし、また、アメリカであれば、紐３を赤と白の筋と青の組合わせとし、また、フランスであれば、紐３を赤白青の組合わせとし、また、イタリアであれば、紐３を赤白緑の組合わせによって、その国を表現できる。今日、茶道は我が国だけの芸術的活動ではなく、国際的交流を促進させ、国際平和を希求する活動であることは誰しもが認めるところであり、その点からも、本発明の色紐組茶せんは、茶道の国際化を図る上でも効果的である。
【００１７】
なお、上述の例では、紐３を例えば５巻きする場合において、１本の長い紐を５回巻くか、あるいは、５本の紐をそれぞれ１巻きずつ巻くとしたが、これら以外にも、例えば、２本の紐を用い、そのうちの１本を２巻きにし、他の１本を３巻きにして、合計５巻きにすることなどもできる。
【００１８】
また、本発明において、紐３に施された色は、水分によって滲む（にじむ）ものであっても良いし、水分によって滲まないものであっても良い。すなわち、紐３としては、水分によって色の滲むものであっても良いし、水分によって色の滲まないものであっても良い。
【００１９】
紐３が水分によって色の滲むものである場合、色の滲み具合によって茶せんの使用上の劣化の目安を視覚的な観点から与えることができる。すなわち、茶せんの使用頻度が多くなる程、色の滲み具合も大きくなり、従って、色の滲み具合によって、茶せんの使用頻度（劣化の程度）を推測することができる。あるいは、紐３が水分によって色の滲むものである場合、その色の滲み具合によってより一層の美感を感じさせるようにすることもできる。
【００２０】
また、紐３が水分によって色の滲まないものである場合には、長期にわたって、紐３の美感を保つことができる。
【００２１】
また、本発明の茶せんは、お茶（例えば、抹茶）を点てるための道具として用いられることの他に、コーヒーを泡立てるための道具などとしても使用可能である。
【図面の簡単な説明】
【００２２】
【図１】本発明に係る茶せんの構成例を示す図である。
【図２】１本の長い紐に複数の色を施した例を示す図である。
【図３】５本の紐のそれぞれに異なった色を施した例を示す図である。
【図４】紐の色形態の一例を示す図である。
【図５】紐の色形態の他の例を示す図である。
【符号の説明】
【００２３】
１          竹本体
２          竹細片
３          紐
【図１】
0004804072.tif 000002
【図２】
0004804072.tif 000003
【図３】
0004804072.tif 000004
【図４】
0004804072.tif 000005
【図５】
0004804072.tif 000006